(57)【要約】【課題】脱気機能を備え、流路形成のための接着・溶着が不要のチップ、反応分析装置、反応分析方法を提供する。【解決手段】第一の基板と、液体流入口と液体流出口を具備する第二の基板との間に、流路を構成してかつ通気性と疎水性を有する中間部材を有するチップを用いる。これによって、流路への気泡の混入を防止することができる。【選択図】図３
2005181095.tif 000002
【特許請求の範囲】
【請求項１】
第１の基板と、
疎水性及び通気性を有し、前記第１の基板上に所定の流路を形成する、中間部材とを有することを特徴とするチップ。
【請求項２】
請求項１において、前記第１の基板の表面の少なくとも一部に薄膜を設置し、前記薄膜の表面の少なくとも一部が親水性であることを特徴とするチップ。
【請求項３】
請求項２において、前記第1の基板は、シリコン、ガラス、石英、ＰＭＭＡ、酸化チタン、酸化シリコン、酸化ジルコニウム、酸化ハフニウム、酸化タンタルのいずれかを材料とすることを特徴とするチップ。
【請求項４】
請求項２において、前記薄膜は、窒化シリコン、シリコン、ガラス、石英、ＰＭＭＡ、酸化チタン、酸化シリコン、酸化ジルコニウム、酸化ハフニウム、酸化タンタルのいずれかを材料とすることを特徴とするチップ。
【請求項５】
請求項２において、前記薄膜は屈折率が１．８以上３．０以下の材料からなることを特徴とするチップ。
【請求項６】
請求項２において、前記中間部材は、粒径が１０ｎｍ程度から１ｍｍ程度の範囲の撥水性粒子からなることことを特徴とするチップ。
【請求項７】
請求項２において、前記中間部材は、フッソ樹脂微粒子、シリコン樹脂微粒子のいずれかからなることを特徴とするチップ。
【請求項８】
請求項１において、液体流入口と液体流出口を具備する第２の基板をさらに有することを特徴とするチップ。
【請求項９】
請求項８において、前記第１の基板の表面の少なくとも一部に薄膜を設置し、前記薄膜の表面は少なくとも一部が親水性であることを特徴とするチップ。
【請求項１０】
請求項８において、少なくとも前記流路における溶液の流れる方向と垂直な方向で、前記流路の長さが、前記液体流入口の長さ及び前記液体流出口の長さよりも大きいことを特徴とするチップ。
【請求項１１】
請求項８において、前記第２の基板は、前記第1の基板に向かい合う面の少なくとも一部が疎水性を有することを特徴とするチップ。
【請求項１２】
第１の基板と、液体流入口と液体流出口を具備する第2の基板と、前記第1の基板と前記第２の基板との間に所定の流路を形成してかつ疎水性及び通気性を有する中間部材とを有するチップを、保持するためのセルと、
前記液体流入口へ液体もしくは気体を導入ための導入管と、
前記液体流出口から液体もしくは気体を導出するための導出管と、
前記流路に光を照射するための光学部と、
前記流路に固定した特定分子と前記流路に導入される試料に含まれる物質との反応を検出するための検出部と、
前記検出部の検出結果を分析する分析部とを有することを特徴とする反応分析装置。
【請求項１３】
請求項１２において、前記セルは蓋部材と台部材とを有し、前記チップは前記蓋部材と前記台部材との間の領域に保持されることを特徴とする反応分析装置。
【請求項１４】
請求項１２において、前記光学部は光ファイバを有し、前記蓋部材は前記光ファイバを挿入する孔を有することを特徴とする反応分析装置。
【請求項１５】
請求項１２において、前記第１の基板は、前記第２の基板と向き合う表面に金属薄膜を、前記第２の基板と向き合う面と対向する表面にはプリズムを各々有し、前記光学部は前記プリズムに前記光を照射し、前記検出部は前記プリズムを介して前記金属薄膜からの反射光を検出することを特徴とする反応分析装置。
【請求項１６】
第１の基板と、液体流入口と液体流出口を具備する第２の基板と、前記第1の基板と前記第２の基板との間に、所定の流路を形成してかつ疎水性及び通気性を有する中間部材とを容器に設置する工程と、
第１の液体と第１の気体層と試料と第２の気体層と第２の液体とを順に前記容器に導入させる工程と、
前記流路の少なくとも一部に固定された特定分子と前記試料に含まれる物質との反応を行わせる工程と、
前記容器に光を照射することによって前記反応の結果を検出する工程とを有することを特徴とする反応分析方法。
【請求項１７】
請求項１６において、前記検出する工程では、前記特定分子が固定された面の光吸収度、光散乱度、光反射度、蛍光・発光度のいずれかを検出することを特徴とする反応分析方法。
【発明の詳細な説明】
【技術分野】
【０００１】
本発明は、検体中の特定分子に係る反応分析、それに用いるチップに関する。
【背景技術】
【０００２】
２００１年にヒトゲノムの解読がほぼ完了したことを契機に、バイオ分野の研究の重点はゲノムから、生物個体の持つ遺伝情報がいつ、どこで、どのような状況で発現し、蛋白質が作られていくか、そして、作られた蛋白質がその生物個体の細胞の中で、他の蛋白質と共同して、どのように機能していくかを調べるプロテオームの研究に移りつつある。ほとんどの蛋白質の機能は、他の生体分子との相互作用によるため、プロテオームの研究において、重要なひとつが、蛋白質と蛋白質、もしくは他の生体分子の相互作用である。さらに、生体分子の相互作用を調べる上では、平衡状態においての生体分子間の結合の強さを表す平衡定数と、平衡に達するまで速さをあらわす速度定数を知る必要がある。これらの生体分子の平衡定数や速度定数で表される相互作用を調べる機器は、たとえば表面プラズモン共鳴現象利用したバイオセンサがある。他には、二面偏波式干渉計を利用したバイオセンサがある。
【０００３】
これらのセンサにおいては、同時測定可能なセンサの数は、４つ程度とされている。目的生体分子の相互作用を効率よく解析するために、より多くのセンサを同時に測定できる装置が求められている。
多センサの同時測定においては、センサの小型化や高密度化、必要検体量の減少、測定時間の短縮、装置の小型化など、さらには、センサや流路系の微細化が重要になる。計測機器の微小化の研究は近年盛んに行われており、この研究分野はμＴＡＳ（Ｍｉｃｒｏ  Ｔｏｔａｌ  Ａｎａｌｙｓｉｓ  Ｓｙｓｔｅｍ）やＬａｂ−Ｏｎ−Ｔｉｐと称されている。
【０００４】
μＴＡＳの分野では、特に、流体を扱うマイクロフローセル、マイクロバルブなどをマイクロ流体デバイスという。マイクロ流体デバイスと多センサを組み合わせたものとして、特許文献１に示されるマイクロチップや、特許文献２に示される集積化反応装置がある。特許文献１に示されるマイクロチップは、生体高分子をスポットもしくはストリップ状に固定した基板と、微細流路となる凹部を持つ基板を接合することで構成している。特許文献２に示される集積化反応装置は、ガラスやシリコンに溝を刻み、キャピラリーを形成したものの表面に、リソグラフィ技術を用いてＤＮＡを結合している。
【０００５】
【特許文献１】特開２００２−２４３７３４号公報
【０００６】
【特許文献２】特開２００２−３５７６０７号公報
【発明の開示】
【発明が解決しようとする課題】
【０００７】
マイクロ流体デバイスは、内部容量が小さいため、微小液量の制御が容易、微小空間での反応の高速化、デバイスの量産化が可能など優れている点が多い。しかし、その大きさ（幅および深さが数ミクロンから数百ミクロン）ゆえの課題がある。
特許文献３に記載されている分析チップは、横断面がスリット形状の微小流路の、横断面の長辺を形成する面の一方に、流動する液体と親和性の低い部分と高い部分を交互に設けることで、流動する液体の先端を流路の幅方向に揃え、微小流路内に初めて液体を送液するときに、液体が流路内にもともと入っている気泡を巻き込むことを防止する。
【０００８】
特許文献４に記載の加熱機構を有する微小ケミカルデバイスは、毛細管流路の一部に加熱部をもうけ、加熱部にて、表面が疎水性のエア抜き路を分岐させることにより、エアを逃がしている。
上記2件の文献では流路への気泡の混入という課題に着目しているが、これらに記載された構成によっても気泡の混入の可能性は否定できない。
【０００９】
【特許文献３】特開２００３−３０２３９９号公報
【特許文献４】特開２００２−１０２６８１号公報
【課題を解決するための手段】
【００１０】
マイクロ流体デバイスに関しては、以下のような課題が考えられる。まず、マイクロ領域では表面張力が支配的となるため、マイクロ流路に留まった気泡を取り除くことは難しく、マイクロ流体デバイスを作製するにあたり、気泡をマイクロ流路内に入れない構造、マイクロ流路内で発生させない構造、マイクロ流路内から取り除く構造が求められる。また、微小な流路においては、液体の流動中に、作業者の操作や水圧の減少などの原因で液体中に混入もしくは発生した気泡を取り除くことが望ましい。また、エア抜きのための分岐路を設けた場合でも、分岐点以降の毛細管流路内に初めて液体を送液するときに、液体が流路内にもともと入っている気泡を巻き込むことを防止することや、液体の送液時に、液体に混入もしくは発生した気泡の除去が必要となる。さらに、毛細管流路を形成した後にエア抜き路を構成するため、作製工程が複雑となり、作製のためのコストが生じるとともに、毛細管流路の形状を限定される。
【００１１】
もうひとつの問題として、マイクロ流路形成の際の接着・溶着の問題がある。自己接着性があるＰＤＭＳ以外の材質、特にガラス、シリコン、またはアクリルなどの樹脂を用いてマイクロ流路を形成する場合、溝を形成した基板と他の平板を接着剤で接着するか、もしくは溶着する必要がある。接着剤の使用は、接着剤に含まれる物質が測定物質に影響を与える可能性があり、また、接着剤がマイクロ流路にはみ出すことで、光学測定を困難にする可能性もある。レーザーなどを用いて溶着する場合には、材質が限定され、さらに、接着面付近が溶着により乱れる。さらに、根本的な問題として、流路内の特定の箇所に生体分子を結合し、生体分子を用いたマイクロ流路の場合、接着・溶着の前に生体分子を結合する必要がある。装置使用者の目的に応じて、結合する生体分子を選択する場合、装置使用者が生体分子の結合を行うことが多い。その場合、上記理由により、装置使用者は接着・溶着のための技術および設備を要することになり、取扱いが困難になる可能性がある。
【００１２】
そこで、上記の課題を解決するマイクロ流路を備えたチップ、および化学反応装置、および化学反応方法を提供することを目的とした。
本発明の係るチップでは、第１の基板と、第１の基板上に所定の流路を形成する、疎水性及び通気性を有するの中間部材とを有することを特徴とする。通気性とは溶液が流れる際に空気を通り抜けさせる性質をいい、疎水性とは水の接触角が９０°以上になることをいう。ここで、第１の基板の表面の少なくとも一部に薄膜を設置し、薄膜の表面は少なくとも一部が親水性であってもよい。また、第1の基板は、シリコン、ガラス、石英、ＰＭＭＡ、酸化チタン、酸化シリコン、酸化ジルコニウム、酸化ハフニウム、酸化タンタルのいずれかを材料としてもよい。また、薄膜は、窒化シリコン、シリコン、ガラス、石英、ＰＭＭＡ、酸化チタン、酸化シリコン、酸化ジルコニウム、酸化ハフニウム、酸化タンタルのいずれかを材料としてもよい。また、液体流入口と液体流出口を具備する第２の基板をさらに有しても良い。
【００１３】
また本発明に係る装置では、第１の基板と、液体流入口と液体流出口を具備する第2の基板と、第1の基板と第２の基板との間に所定の流路を形成して疎水性及び通気性を有する中間部材とを有するチップを保持するためのセルと、液体流入口へ液体もしくは気体を導入ための導入管と、液体流出口から液体もしくは気体を導出するための導出管と、流路に光を照射するための光学部と、流路に固定した特定分子と流路に導入する試料に含まれる物質との反応を検出するための検出部と、検出部の検出結果を分析する分析部とを有することを特徴とする。ここで、セルは蓋部材と台部材とを有し、チップは蓋部材と台部材との間の領域に保持されてもよい。また、光学部は光ファイバを有し、蓋部材は光ファイバを挿入する孔を有しても良い。また、第１の基板は、第２の基板と向き合う面に金属薄膜を、第２の基板と向き合う面と対向する表面にプリズムを各々有し、光学部はプリズムに光を照射し、検出部はプリズムを介して金属薄膜からの反射光を検出してもよい。
【００１４】
本発明に係る方法では、第１の基板と、液体流入口と液体流出口を具備する第２の基板と、第1の基板と第２の基板との間に、所定の流路を形成して疎水性及び通気性を有する中間部材とを容器に設置する工程と、第１の液体と第１の気体層と試料と第２の気体層と第２の液体とを順に容器に導入させる工程と、流路の少なくとも一部に固定された特定分子と試料に含まれる物質との反応を行わせる工程と、容器に光を照射することによって反応の結果を検出する工程とを有することを特徴とする。ここで、検出する工程では特定分子が固定された面における光吸収度、光散乱度、光反射度、蛍光・発光度のいずれかを検出してもよい。
【００１５】
これらの構成により、液体導入時において、流路内にもともと入っている気体や、液体流動時において、液体内に混入もしくは発生した気泡は、中間部材とその他の部材との境界面、もしくは中間部材そのものより抜けることとなる。そのため、気泡が流路内に留まることを防ぐことができる。また、中間部材で構成する流路そのものが通気性をもっているため、脱気のための機構、工程が不要となる。そのため、低コストで自由度の高い設計からなる流路構造を製作することができる。
さらに、これらの構成により、中間部材と第２の基板との間で接着および溶着をせずに、流路を構成することができる。そのため、操作性の高い脱気機能を実現できる。
【発明を実施するための最良の形態】
【００１６】
以下に本発明の実施の例を示す。
【実施例１】
【００１７】
図１〜図２１を参照して、本発明によるチップを用いた反応分析装置、ここでは特に生体分子相互作用解析装置の実施例を説明する。本生体分子相互作用解析装置を用い、生体分子間の相互作用を解析する例について説明する。
【００１８】
図１は、本生体分子相互作用解析装置の鳥瞰図である。生体分子相互作用解析装置１は、当装置を制御し、かつ当装置が検出した信号を解析するシステム装置２と連結し、システム装置２は、生体分子相互作用解析装置１の作業内容を出力表示するモニタ３と連結している。
【００１９】
図２は、生体分子相互作用解析装置１の全体構成図である。生体分子相互作用解析装置１は、目的とする生体分子と特異的に結合するプローブ分子を検出領域に固定したチップ２０と、試薬および検体をチップ２０に供給するための流路、およびチップ２０から排出するための流路を備えるフローセル１０と、フローセル１０に、使用する試薬および検体を送液するための送液部３０と、フローセル１０より排出した試薬および検体を保管するための廃液容器５０と、チップ２０上のプローブ分子に特異的に結合した目的生体分子を、光学的に検出するための検出部４０と、送液部３０の動作、および検出部４０より得た信号を解析するシステム装置２と作業内容を出力するモニタ３で構成している。
【００２０】
送液部３０は、使用する試薬および検体に応じて、それぞれ試薬および検体を送液するための、緩衝液ポンプ３０１、検体ポンプ３０２、かい離液ポンプ３０３、試薬および検体を保管するための、緩衝液リザーバ３０４、検体リザーバ３０５、かい離液リザーバ３０６があり、それぞれのポンプとリザーバとフローセルの間の流路を切り替えるための緩衝液バルブ３０７、検体バルブ３０８、かい離液バルブ３０９、フローセルバルブ３１０がある。検体は検査対象物のことで、目的生体分子の含有物か、もしくは、目的生体分子を含有する可能性のある試料の溶液を主に指す。かい離液は、チップ２０上のプローブに結合した目的生体分子をかい離し、チップ２０を使用前の状況に戻す試薬である。緩衝液とは広義では液体であり、たとえばＰＢＳバッファーを使用する。かい離液とは広義では液体であり、たとえば２０ｍＭ  ＨＣｌを使用する。
【００２１】
検出部４０は、白色光源４１と、目的生体分子の結合の様子を示すデータとしてチップ２０から得られる出力光をスペクトル分解する分光器４２、およびスペクトルを検出する検出器４３で構成する。
図３は、チップ２０の鳥瞰図である。チップ２０は、溝２１を一の面に有し、溝２１の表面上に目的生体分子を検出するための検出領域２２、２２'を持つ。ここで、目的生体分子を結合するプローブを表面につけた検出領域２２と、つけない検出領域２２'がある。プローブをつけない検出領域２２'はリファレンスとして使用する。検出領域２２に対する検出結果は、目的生体分子とプローブの結合を由来とするもの以外に、光源の強度変化等の装置の安定性や目的生体分子の検出領域への非特異的吸着等の影響も反映される。そこで、検出結果から目的生体分子とプローブの結合以外の影響を取り除くために、プローブをつけた検出領域２２の検出結果からプローブをつけない検出領域２２'の検出結果を差し引くことで、検出領域表面への非特異的結合の影響を取り除き、目的生体分子とプローブの正確な相互作用を解析することができる。
【００２２】
図４は、チップ２０の断面図である。チップ２０は基板２０１と、親水性の薄膜層２０２と、撥水性粒子層２０３である中間層とで構成する。溝２１は、親水性表面の底、撥水性粒子の壁面で構成する。チップ２０の溝２１を持つ面のうち、親水性薄膜層２０２の面は親水性、撥水性粒子層２０３の面は撥水性になる。すなわち、撥水性粒子層２０３の面は疎水性でもある。たとえば基板２０１にはシリコン、薄膜層２０２は窒化シリコン、撥水性粒子層２０３にはフッソ樹脂微粒子を使用する。基板２０１の他の材料としては、ガラス、石英、ＰＭＭＡ（ポリメタクリル酸メチル(ポリメチルメタクリレート、アクリル樹脂)  ）、酸化チタン、酸化シリコン、酸化ジルコニウム、酸化ハフニウム、酸化タンタルが挙げられる。親水性薄膜層２０２の他の材料としては、ガラス、石英、酸化チタン、酸化シリコン、酸化ジルコニウム、酸化ハフニウム、酸化タンタルが挙げられる。撥水性粒子層２０３は、粒径１０ｎｍ程度から１ｍｍ程度の範囲の撥水性粒子が好ましく、他の材料としては、シリコーン樹脂微粒子、シリコン粉末が挙げられる。ここでの撥水性（もしくは疎水性）とは水の接触角が９０°以上になることをいい、親水性とは水の接触角が９０°未満になることをいう。目的や使用する基板２０１、親水性薄膜層２０２、撥水性粒子層２０３の組み合わせで材質を選択する。
【００２３】
図５は、フローセル１０及びその内部の構成図である。フローセル１０は、上ふた１１、光学窓１２である上部基板、台１３で構成する。使用時には上ふた１１、光学窓１２、チップ２０、台１３の順に重ねて使用する。光学窓１２である上部基板は、上記溝と向い合う領域に流路を形成する。このことから、チップ構成の一要素ということもできる。
上ふた１１は、光学窓１２およびチップ２０を設置するための凹部１１０、光学窓１２を介しフローセル１０に試薬および検体を供給するための送入口１１１、光学窓１２を介しフローセル１０より試薬および検体を排出する排出口１１２、送液部３０とフローセル１０を連結する流路である送入流路１１３、フローセル１０と廃液容器５０を連結する流路である排出流路１１４、光学検出のための観測孔１１５を備える。ここで、観測孔１１５は検出領域に対する検出に光ファイバを用いる際に、後述するように、光ファイバの固定と、光ファイバへ外部から入る光の遮断との役割を持つ。ただし、必要に応じて観測孔を設けない構成としてもよい。
【００２４】
光学窓１２は、試薬および検体をフローセルへ供給するための貫通穴である送入孔１２１、および試薬および検体をフローセルから排出するための貫通穴である排出孔１２２を備え、チップ２０に向かい合う面の少なくとも一部は撥水性（疎水性）をもつ。面の撥水処理では、検出波長領域における透過性が高く、散乱の小さい材質のものの使用が好ましく、たとえばフッソ樹脂、もしくはシリコーン樹脂のコーティングや、それらのフィルムを接着することで行う。光学窓の材質には、検出波長領域における透過性が高く、散乱の小さいものが好ましく、例えばガラス、石英、ＰＭＭＡが挙げられる。
【００２５】
図６は、フローセル１０の組図の断面図である。フローセル１０は、上ふた１１、光学窓１２、台１３で構成する。使用時には上ふた１１、光学窓１２、チップ２０、台１３の順に重ねて使用する。チップ２０は、溝２１を持つ側の面の溝以外の部分のうち少なくとも一部が光学窓１２に接触するように設置する。上ふた１１の凹部１１０に光学窓１２およびチップ２０を設置し、台１３と上ふた１１を固定する。これにより、光学窓１２およびチップ２０を上ふた１１に押し付けられた状態で、固定される。送入口１１１、送入孔１２１および溝２１の一端、排出口１１２、排出孔１２２および溝２１のもう一端、検出領域２２と観測孔１１５が重なる。溝２１と光学窓１２が向かい合う領域に、流路が構成される。送液部３０よりフローセル１０に送る試薬および検体は送入流路１１３、送入口１１１、送入孔１２１、溝２１、排出孔１２２、排出口１１２、排出流路１１４を介し、廃液容器に流動する。検出領域２２は光学窓１２を間に挟み、観測孔１１５から観測される。光学窓１２は、検出波長領域における透過性が高く、散乱が無いため、光学窓１２を間に挟んでも、光学的に問題は無い。
【００２６】
図７は、フローセル１０内に設置したチップ２０と光学窓１２の断面図で、試薬もしくは検体などの液体２３が、チップ２０の溝２１と光学窓１２の向かい合った領域にできる流路を流動する時の様子を現したものである。チップ２０と光学窓１２の接触面は、上ふた１１と台１３による圧力でチップ２０の表面の一部を押し付けているだけで、接着剤による接着や、熱や超音波などによる溶着はされていない。しかし、光学窓１２のチップ２０に向かい合う面とチップ２０は、溝２１を持つ側の面の溝以外の部分の少なくとも一部は撥水性（疎水性）の表面のため、溝２１を流動する試薬もしくは検体などの液体２３の圧力が、境界面２４における表面張力と外気圧より小さい限り、試薬もしくは検体などの液体２３は溝１２から漏れずに流動する。また、流動の過程において気泡が混入した場合においても、気泡は溝２１の撥水性粒子２０３により構成された壁もしくは、チップ２０と光学窓１２の間に存在する隙間に逃げ、検出領域まで流動しないため、気泡の発生による測定の阻害を防止することができる。このような機構により、撥水性粒子層は通気性、すなわち溶液が流れる際に空気を通り抜けさせる性質を特に有する。
【００２７】
また、撥水性粒子２０３の代用として、撥水性の物質を用いて溝２１を構成したチップ２０を使用した場合、チップ２０と光学窓２１の間の隙間を保つことにより、気泡はこの隙間へ逃げるため、同じく気泡の混入による測定阻害を防止することができる。
図８は、光学窓１２の送入孔１２１の大きさと、送入孔１２１付近の溝２５の大きさの関係を示すものである。少なくとも溝における溶液などが流れる方向と垂直な方向において、送入孔１２１付近の溝２５の長さを、送入孔１２１の長さより大きくする。このことで、光学窓１２とチップ２０の位置あわせの際に、送入孔１２１の位置を溝２５の位置と対比した場合に、領域123で示した分だけ位置的余裕を設けることができる。
すなわち、送入孔１２１付近の溝２５と送入孔１２１の大きさの差１２３程度のずれが生じても、光学窓１２と溝２５はその間に流路を構成することができる。そのため、チップ２０をフローセル１０に組み込む際の位置あわせが容易になり、また、位置あわせの精度を上げるために必要になるフローセル１０の加工コストを低減することができる。排出孔１２２と、排出孔１２２付近の溝の大きさについても、同様である。
【００２８】
図９は、検出部４０とフローセル１０の一部を組み合わせた構成図である。検出部４０は、白色光源４１、入射光用光ファイバ２０７、干渉光用光ファイバ２０８、分光器４２、検出器４３で構成する。入射光用光ファイバ２０７と干渉光用光ファイバ２０８の一端は、フローセル１０の上ふた１１の観測孔１１５に固定する。このとき、光学窓１２の反射光の影響を少なくするために、それぞれの光ファイバの一端は光学窓１２にできる限り近づけることが好ましい。屈折率が１．８以上、３．０以下の高屈折率の光学特性を持つ薄膜、たとえば屈折率約２．３の窒化シリコンをチップ２０の薄膜層２０２に、適当な反射率の物質、たとえば、シリコン基板をチップ２０の基板２０１に適用する。白色光源４１の白色光は、入射光用光ファイバ２０７を介してチップ２０に入射し、薄膜層２０２からの反射光２０９と基板２０１からの反射光２１０の干渉光が干渉光用光ファイバ２０８を介して、分光器４２に入射する。検出器４３は分光器４２がスペクトルに分解した干渉光を検出する。
【００２９】
反射率の高い基板２０１と高屈折率の薄膜層２０２を用い、目的生体分子に特異的に結合するプローブを薄膜層２０２の表面に結合することで、目的生体分子を検出する機構することができる。生体分子の屈折率は約１．５であるため、目的生体分子がプローブに結合することで、薄膜層２０２の見かけの屈折率が上がるため、干渉光のスペクトルは、長波長側にずれる。また、目的生体分子がプローブからかい離すると、見かけの屈折率が元に戻るため、干渉光のスペクトルも元に戻る。スペクトルのピーク値を測定中にシステム装置２（図２）で解析し、その時間変化を計測することで目的生体分子の結合の様子を測定することができる。
【００３０】
図１０は、送液部３０の動作説明図である。図１０を用いて、緩衝液、検体、かい離液の順番で送液する工程を説明する。緩衝液用ポンプ３０１、検体用ポンプ３０２、かい離液用ポンプ３０３はシリンジポンプで、吸引を下向きの矢印、送液を上向きの矢印で示す。送液部３０の各ポンプおよびバルブの動作はシステム装置２（図２）で制御する。
図１０(a)は、緩衝液用ポンプ３０１がエアギャップ用の緩衝液−検体間設置用空気３１５を吸引するときの送液部３０の様子を示す。このとき緩衝液用バルブ３０７は、緩衝液用ポンプ３０１と緩衝液用バルブ連結空気孔３１１を連結する。エアギャップは種類の異なる液体を連続して送液するときに、種類の異なる液体間に挟む空気層で、液体成分の拡散により二つの液体が混合することを防ぐ。この空気層とは、条件に応じて空気以外の気体の層としてもよい。
図１０(b)は、緩衝液用ポンプ３０１が緩衝液３１６を吸引するときの送液部３０の様子を示す。このとき緩衝液用バルブ３０７は、緩衝液用ポンプ３０１と緩衝液用リザーバ３０４を連結する。
【００３１】
図１０(c)は、緩衝液用ポンプ３０１が緩衝液と緩衝液−検体間設置用空気をフローセル１０（図２）に送液し、検体用ポンプ３０２が、検体−かい離液間設置用空気３１７を吸引する様子を示す。緩衝液用ポンプ３０１は緩衝液、緩衝液−検体間設置用空気の順番にフローセル１０に流動する。緩衝液用バルブ３０７は緩衝液用ポンプ３０１とフローセルバルブ３１０を連結し、フローセルバルブ３１０は緩衝液用バルブ３０７とフローセル１０（図２）を連結する。検体用バルブ３０８は検体用ポンプ３０２と検体用バルブ連結空気孔３１２を連結する。
図１０(d)は、緩衝液用ポンプ３０１が緩衝液と緩衝液−検体間設置用空気をフローセル１０（図２）に送液し、検体用ポンプ３０２は、検体３１８を吸引する様子を示す。検体用バルブ３０８は検体用ポンプ３０２と検体用リザーバ３０５を連結する。
図１０(e)は、検体用ポンプ３０２が検体と検体−かい離液間設置用空気をフローセル１０（図２）に送液し、かい離液用ポンプ３０３は、かい離液−緩衝液間設置用空気３１９を吸引する様子を示す。検体用ポンプ３０２は検体、検体−かい離液間設置用空気の順番にフローセル１０（図２）に流動する。検体用バルブ３０８は検体用ポンプ３０２とフローセルバルブ３１０を連結し、フローセルバルブ３１０は検体用バルブ３０８とフローセル１０（図２）を連結する。かい離液用バルブ３０９はかい離液用ポンプ３０３とかい離液用バルブ連結空気孔３１３を連結する。緩衝液３１６と検体３１８の間に緩衝液−検体間設置用空気３１５が存在するため、緩衝液３１６と検体３１８はフローセル１０（図２）への流動の過程での混合を回避することができる。続けて、かい離液をフローセル１０（図２）に送液する。同様の理由で、検体とかい離液は流動の過程での混合を回避することができる。
【００３２】
緩衝液−検体間設置用空気３１５などのエアギャップとして用いた空気は、フローセル１０の中に設置したチップ２０の溝２１と光学板１２の構成する流路（図６、図７）を流動するときに、撥水性粒子２０３や、チップ２０と光学板１２の間から抜けるため、測定を阻害することは無い。以上の機構により、チップ２０に緩衝液と第１の空気層と検体（試料）と第２の空気層とかい離液とを順に導入することができる。
【００３３】
図１１は、本生体分子相互作用解析装置を用いて、検体中の目的生体分子を計測する工程をフローチャートにしたもので、工程中の緩衝液用ポンプ、検体用ポンプ、かい離液用ポンプの動作の内容を時間軸に沿って示す。ここで示される通り、緩衝液、検体、緩衝液、かい離液、緩衝液の順番でフローセル２０に送液される。
【００３４】
図１２は、図１０のフローチャートの測定工程を実行した場合における、本生体分子相互作用解析装置の解析結果の一例である。結合量は、干渉光のスペクトルピークの波長変移から求められる、プローブに結合した分子の量を示す値である。
区間１は最初の緩衝液流動時である。区間２は検体流動時で、時間経過とともに、チップ１０の検出領域上のプローブに目的生体分子が結合していくため、結合量は増大する。区間３は、２回目の緩衝液の流動時である。プローブに結合した目的生体分子がかい離するため、結合量は減少する。区間４は、かい離液の流動時である。かい離液はプローブに結合した目的生体分子を全てかい離する。かい離液を一定時間流すことで、チップは初期状態に戻る。区間５は３回目の緩衝液の流動時である。緩衝液を流すことで、チップ２０中の状態を区間１に戻す。区間５の次に検体濃度などの実験条件を変えて、測定工程を繰り返すことも可能である。
【００３５】
図１３は使用する試薬や検体間にエアギャップを使用しなかったときの解析結果の一例、また図１４は使用する試薬や検体間にエアギャップを用いたときの解析結果の一例である。図１３および図１４において、緩衝液追加の矢印が示す時点に、チップを流動する液体は検体から緩衝液に変わる。図１３では、エアギャップを用いなかったために、検体と緩衝液の２液の混合状態ができ、検体から緩衝液に変わる遷移状態の液体がチップ上の流路を流動する。そのため、全体の解析結果は、遷移状態時の解析結果を含んでしまう。遷移状態時は、検体中の目的生体分子の濃度が変化するため、解析結果から速度定数や結合定数を求めることは難しくなる。また、遷移状態の区間が、解析結果の時間軸におけるどの区間かを解析結果から判断するのは困難となることも、目的生体分子の正確な速度定数や結合定数を求めることを難しくする。一方、図１４では、エアギャップが検体と緩衝液の混合を防いだため、検体中の目的生体分子の濃度の変化を回避でき、２液の切り替わり時もはっきりとわかる。そのため、目的生体分子の正確な平衡定数や速度離定数を求めることができる。
【００３６】
図１５は、チップ２０の作製方法の流れ図である。
シリコン基板２０１に厚さ１０ｎｍ程度から１００ｎｍ程度の光学薄膜である窒化シリコン２０２を堆積したものに、厚さ０．１ｍｍ程度のドライフィルムレジスト膜２０４を貼り付け、ホトリソグラフィにより、チップ２０の流路を構成する溝２１の反転パターンを形成した。２０５は溝２１のマスク、２０６は紫外線を示している。撥水性粒子層２０３として、フッソ樹脂微粒子を１０ｎｍから０．１ｍｍの厚さでスプレー塗布した後、ドライフィルムレジスト膜２０４を剥離して、微粒子層中の流路を形成した。
本実施例では、レジストを用いて流路の反転パターンを形成したが、シリコン基板に光学薄膜を堆積したものに、感光性の撥水膜を堆積し、ホトリソグラフィ技術を用いて、直接流路パターンを形成することもできる。
本実施例では、高屈折率の薄膜を利用したチップを形成したが、その他の検出方法を用いたバイオセンサ、例えば、吸光度検出、蛍光検出、表面プラズモン共鳴現象、二面偏波式干渉計を利用したチップも形成できる。例えば、蛍光検出用のチップは、ガラスやアクリルの透明基板に流路を形成した後、プローブを結合する。
【００３７】
図１６は、チップの流路及び検出領域を複数設けた、多数の検出領域をもつチップの例である。溝２１を計８列に分岐し、ひとつの溝あたりに検出領域２２を７個設けることにより、計５６個の検出領域を設けている。送液部３０（図２）より送られた試薬および検体は、アレイチップ２２０の注入端２２１から入り、溝２１に沿って均等に分離し、それぞれの検出領域２２上を通過したのち、それぞれの溝の排出端２２２から排出容器５０へ流動する。アレイチップ２２０は、検出領域ごとに異なるプローブを結合することが可能であるため、ひとつの検体と多数の生体分子との相互作用を調べることが可能である。
【００３８】
図１７は、フローセル１０を上下反対の構成にしたものの断面図である。チップ２０の位置が、排出孔１２２、排出口１１２および、排出流路１１４よりも高い位置にあるため、溝２１を流動する液体の水圧は小さくなる。そのため、液体は溝２１と光学窓１２の間より漏れにくくなるという効果がある。
【実施例２】
【００３９】
表面プラズモン共鳴現象を利用したチップについての実施例を示す。
図１８は、チップ７０の鳥瞰図である。チップ７０は、プリズム７０４と溝７１がそれぞれの面にあり、溝７１の表面上に目的生体分子を検出するための検出領域７２、７２'を持つ。ここで検出領域７２は、実施例１と同様に、目的生体分子を結合するプローブを表面につけた検出領域７２と、つけない検出領域７２'がある。プローブをつけない検出領域７２'はリファレンスとして使用する。
図１９は、チップ７０の断面図である。チップ７０は、光透過性基板７０１、金属薄膜層７０２、撥水性粒子層７０３、プリズム７０４、検出領域７２で構成する。たとえば光透過性基板７０１は、石英ガラス基板、金属薄膜層７０２は金薄膜、撥水性粒子層７０３にはフッソ樹脂微粒子を使用する。
【００４０】
図２０は、チップ７０とフローセルの構成図である。フローセルは、上ふた６１、中ふた６２、台６３で構成する。使用時には上ふた６１、中ふた６２、チップ７０、台６３の順に重ねて使用する。
上ふた６１は、中ふた６２を介しフローセルに試薬および検体を供給するための送入口６１１、中ふた６２を介しフローセル６０より試薬および検体を排出する排出口６１２、試薬および検体を送液を行う送液部（図示せず）とフローセルを連結する流路である送入流路６１３、フローセルと使用後の試薬および検体を保管する廃液容器（図示せず）を連結する流路である排出流路６１４を備える。
中ふた６２は、試薬および検体をフローセルへ供給するための貫通穴である送入孔６２１、および試薬および検体をフローセルから排出するための貫通穴である排出孔６２２を備え、チップ７０と接触する面は撥水性をもつ。
台６３は、中ふた６２およびチップ７０を設置するための凹部６３０、プリズム７０４をフローセルの外部に露出するための貫通穴６３５を備える。
【００４１】
図２１は、フローセルと、プローブ分子に特異的に結合した目的生体分子を、表面プラズモン共鳴現象を利用し検出する検出部を組み合わせた関連図である。フローセルは組図の断面図で示す。実施例１と同様に、チップ７０は、溝７１を持つ面が中ふた６２に接触するように設置する。台６３の凹部６３０に中ふた６２およびチップ７０がはまり、台６３と上ふた６１を固定することで、中ふた６２およびチップ７０を上ふた６１に押し付け固定する。送入口６１１、送入孔６２１および溝７１の一端、排出口６１２、排出孔６２２および溝７１のもう一端が重なる。溝７１と中ふた６２が組み合うことで、チップ７０上に流路を構成する。送液部よりフローセルに送る試薬および検体は送入流路６１３、送入口６１１、送入孔６２１、溝７１、排出孔６２２、排出口６１２、排出流路６１４を介し、廃液容器に流動する。
【００４２】
検出部は、単色光源９１、検出器９２で構成する。単色光源９１は、金属薄膜層７０２の全反射条件でｐ偏光の入射光９３をチップ７０に入射し、検出器は、金属薄膜層７０２からの反射光９４を検出する。表面プラズモン共鳴現象により、ある角度の反射光強度が低下する。
検体中の目的生体分子が検出領域７２のプローブに結合することで、金属薄膜層７０２の見かけの屈折率を変えるため、反射光強度の低下する角度が変化する。この変化をシステム装置（図示せず）で解析することで、目的生体分子の結合の様子を測定することができる。
なお、前記実施例１、２ではセンサを有するチップに疎水性、通気性を有する粒子状の層を設けることで、脱気をおこない、検出時の気泡の影響を排除するとともに、送液時のエアギャップを速やかに除去する旨を記載したが、このような脱気機構は、二液の混合流路や、電気泳動や電気浸透流を送液手段として用いたマイクロチップにも利用できる。この場合、実施例１、２と同様に、混入した気泡の脱気を図ることができる。すなわち、本脱気機構はマイクロ流路チップの脱気方法として有効である。
【図面の簡単な説明】
【００４３】
【図１】本発明の実施例による生体分子相互作用解析装置の鳥瞰図である。
【図２】本発明の実施例による生体分子相互作用解析装置１の全体構成図である。
【図３】本発明の実施例によるチップの鳥瞰図である。
【図４】本発明の実施例によるチップの断面図である。
【図５】本発明の実施例によるフローセルの構成図である。
【図６】本発明の実施例によるフローセルの組図の断面図である。
【図７】本発明の実施例によるチップと光学窓の断面図である。
【図８】本発明の実施例によるチップと光学窓の断面図である。
【図９】本発明の実施例による検出部とフローセルの構成図である。
【図１０】本発明の実施例による送液部の動作手順の説明図である。
【図１１】本発明の実施例による動作手順の説明図のである。
【図１２】本発明の実施例による生体分子相互作用解析装置の解析結果のイメージ図である。
【図１３】本発明の実施例による生体分子相互作用解析装置の解析結果である。
【図１４】本発明の実施例による生体分子相互作用解析装置の解析結果である。
【図１５】本発明の実施例によるチップ作製手順の説明図である。
【図１６】本発明の実施例によるチップの鳥瞰図である。
【図１７】本発明の実施例によるフローセルの断面図である。
【図１８】本発明の実施例によるチップの鳥瞰図である。
【図１９】本発明の実施例によるチップの断面図である。
【図２０】本発明の実施例によるフローセルの構成図である。
【図２１】本発明の実施例による検出部とフローセルの構成図である。
【符号の説明】
【００４４】
1.生体分子相互作用解析装置    ２．システム装置    ３．モニタ    １０．フローセル    １１．上ふた    １２．光学窓    １３．台    ２０．チップ    ２１．溝    ２２．検出領域    ２３．液体    ２４．境界面    ２５．溝    ３０．送液部    ４０．検出部    ４１．白色光源    ４２．分光器    ４３．検出器    ５０．廃液容器    ６１．上ふた    ６２．中ふた    ６３．台    ７０．チップ    ７１．溝    ７２．検出領域    ９１．単色光源    ９２．検出器    ９３．入射光    ９４．反射光    １１０．凹部    １１１．送入口    １１２．排出口    １１３．送入流路    １１４．排出流路    １１５．観測孔    １２１．送入孔    １２２．排出孔    １２３．大きさの差    ２０１．基板    ２０２．親水性薄膜層    ２０３．撥水性粒子層    ２０４．ドライフィルムレジスト    ２０５．マスク    ２０６．紫外線    ２０７．入射光用光ファイバ    ２０８．干渉光光ファイバ    ２０９．反射光    ２１０．反射光    ２２０．アレイチップ    ２２１．注入端    ２２２．排出端    ３０１．緩衝液ポンプ    ３０２．検体ポンプ    ３０３．かい離液ポンプ    ３０４．緩衝液リザーバ    ３０５．検体リザーバ    ３０６．かい離液リザーバ    ３０７．緩衝液バルブ    ３０８．検体バルブ    ３０９．かい離液バルブ    ３１０．フローセルバルブ    ３１１．緩衝液用バルブ連結空気孔    ３１２．検体用バルブ連結空気孔    ３１３．かい離液用バルブ連結空気孔    ３１５．緩衝液−検体間設置用空気    ３１６．緩衝液    ３１７．検体−かい離液空気    ３１８．検体    ６１１．送入口    ６１２．排出口    ６１３．送入流路    ６１４．排出流路    ６２１．送入孔    ６２２．排出孔    ６３０．凹部    ７０１．光透過性基板    ７０２．金属薄膜層    ７０３．撥水性粒子層    ７０４．プリズム。
【図１】
2005181095.tif 000003
【図２】
2005181095.tif 000004
【図３】
2005181095.tif 000005
【図４】
2005181095.tif 000006
【図５】
2005181095.tif 000007
【図６】
2005181095.tif 000008
【図７】
2005181095.tif 000009
【図８】
2005181095.tif 000010
【図９】
2005181095.tif 000011
【図１０】
2005181095.tif 000012
【図１１】
2005181095.tif 000013
【図１２】
2005181095.tif 000014
【図１３】
2005181095.tif 000015
【図１４】
2005181095.tif 000016
【図１５】
2005181095.tif 000017
【図１６】
2005181095.tif 000018
【図１７】
2005181095.tif 000019
【図１８】
2005181095.tif 000020
【図１９】
2005181095.tif 000021
【図２０】
2005181095.tif 000022
【図２１】
2005181095.tif 000023